(57)【特許請求の範囲】
【請求項１】
第１端末装置と通信回線を介して通話中に、その通信回線を介して第２端末装置からの割り込み着信の要求を受信可能に構成された電話装置において、
前記第１端末装置との通話中に、前記第２端末装置からの割り込み着信の要求を受信したか否かを検出する検出手段と、
その検出手段により前記第２端末装置からの割り込み着信の要求の受信が検出された状態で、前記第１端末装置から第２端末装置または前記第２端末装置から第１端末装置へ通話先を切り換える場合に操作される操作手段と、
その操作手段が操作されて前記第１端末装置または第２端末装置に通話先が切り換えられる毎に変化する変化情報を記憶する記憶手段と、
操作者により通話の切断要求がなされた場合に、前記記憶手段に記憶される変化情報の値を判別する変化情報判別手段と、
その変化情報判別手段により前記変化情報が第１の値であると判別されると、前記通信回線を介した通話を切断すると共に、前記変化情報判別手段により前記変化情報が第１の値とは異なる第２の値であると判別されると、前記通信回線を介した通話の通話先の端末装置を切り替える制御を行う第１制御手段と、
前記変化情報判別手段により前記記憶手段に記憶されている変化情報の値が前記第２の値であると判別されて、前記第１制御手段により通話先の端末装置を切り換える制御が行われた場合に、その切り換えられる端末装置が通信回線を介して通話可能であるか否かを判別する通話判別手段と、
その通話判別手段により通話不可であると判別されると、前記通信回線を介した通話を切断すると共に、前記通話判別手段により通話可能であると判別されると、前記通信回線を介した通話を継続させる制御を行う第２制御手段とを備えていることを特徴とする電話装置。
【請求項２】
前記第１制御手段は、操作者により通話の切断要求がなされた場合に、前記検出手段により前記割り込み着信の要求の受信が検出されていないと、前記通信回線を介した通話を切断する制御を行うものであることを特徴とする請求項１記載の電話装置。
【請求項３】
前記第１端末装置との通話が開始される場合に、前記記憶手段に記憶される変化情報を初期値に設定する初期値設定手段と、
前記操作手段が操作されて前記第１端末装置または第２端末装置に通話先が切り換えられる毎に、前記記憶手段に記憶される変化情報に１を加算または減算する加減算手段とを備え、
前記変化情報判別手段は、前記記憶手段に記憶されている変化情報の初期値から変化した値が偶数である場合を前記第１の値と判別すると共に、前記記憶手段に記憶されている変化情報の初期値から変化した値が奇数である場合を前記第２の値と判別するものであり、
前記第１制御手段は、前記記憶手段に記憶されている変化情報の初期値から変化した値が偶数であると前記変化情報判別手段により判別された場合に、前記通信回線を介した通話を切断すると共に、前記記憶手段に記憶されている変化情報の初期値から変化した値が奇数であると前記変化情報判別手段により判別された場合に、通話先を前記第１端末装置に切り換える制御を行うことを特徴とする請求項１又は２に記載の電話装置。
【請求項４】
前記第１端末装置との通話が開始される場合に、前記記憶手段に記憶される変化情報を初期値に設定する初期値設定手段と、
前記操作手段が操作されて前記第１端末装置または第２端末装置に通話先が切り換えられる毎に、前記記憶手段に記憶される変化情報に１を加算または減算する加減算手段とを備え、
前記変化情報判別手段は、前記記憶手段に記憶されている変化情報の値が初期値である場合を前記第１の値と判別すると共に、前記記憶手段に記憶されている変化情報の値が初期値から変化している場合を前記第２の値と判別するものであり、
前記第１制御手段は、前記記憶手段に記憶されている変化情報の値が初期値であると前記変化情報判別手段により判別された場合に、前記通信回線を介した通話を切断すると共に、前記記憶手段に記憶されている変化情報の値が初期値から変化していると前記変化情報判別手段により判別された場合に、通話先の端末装置を切り換える制御を行うことを特徴とする請求項１又は２に記載の電話装置。
【請求項５】
前記第１端末装置との通話が開始される場合に、前記記憶手段に記憶される変化情報を前記第１の値に設定する第１設定手段と、
前記操作手段が操作されて通話先が前記第１端末装置に切り換えられると、前記記憶手段に記憶される変化情報を前記第１の値に設定すると共に、前記操作手段が操作されて通話先が前記第２端末装置に切り換えられると、前記記憶手段に記憶される変化情報を前記第２の値に設定する第２設定手段とを備え、
前記第１制御手段は、前記記憶手段に記憶されている変化情報が前記第１の値であると前記変化情報判別手段により判別された場合に、前記通信回線を介した通話を切断すると共に、前記記憶手段に記憶されている変化情報が前記第２の値であると前記変化情報判別手段により判別された場合に、通話先を前記第１端末装置に切り換える制御を行うことを特徴とする請求項１又は２に記載の電話装置。
【請求項６】
前記記憶手段に記憶されている変化情報の値が前記第２の値であると前記変化情報判別手段により判別されると、通話先の端末装置を切り換える制御を行う前に、通話先の端末装置を切り換えるか否かの問い合せを行う問合手段と、
その問合手段による問い合わせの結果が切り換えを行わない場合に前記通信回線を介した通話を切断すると共に、前記問合手段による問い合わせの結果が切り替えを行う場合に前記通信回線を介した通話を継続させる制御を行う第３制御手段とを備えていることを特徴とする請求項１から５のいずれかに記載の電話装置。
【請求項７】
操作者によりオンフック操作がされて前記通話の切断要求がなされた場合において、前記第１制御手段により通話先の端末装置が切り替えられると、呼出音を鳴動する鳴動手段と、
操作者による前記オンフック操作以外の操作によって通話の切断要求がなされた場合において、前記第１制御手段により通話先の端末装置が切り替えられると、前記鳴動手段による前記呼出音の鳴動を禁止する鳴動禁止手段とを備える請求項１から６のいずれかに記載の電話装置。
【請求項８】
前記第１又は第２端末装置との通話を切断する場合に、その通話を切断する前記第１又は第２端末装置に対して、通話不可を示唆するお断りメッセージを出力する出力手段を備えていることを特徴とする請求項１から７のいずれかに記載の電話装置。
【請求項９】
前記出力手段は、操作者から第１切断要求がなされた場合において、前記第１又は第２端末装置との通話を切断する場合に前記お断りメッセージを出力するものであり、
前記第１切断要求とは異なる第２切断要求がなされた場合、前記出力手段による前記お断りメッセージの出力を禁止する出力禁止手段を備える請求項８記載の電話装置。
【発明の詳細な説明】
【技術分野】
【０００１】
本発明は、割り込み着信の要求を受信可能に構成された電話装置に関し、特に、相手先との通話の継続または切断を、煩雑な作業を必要とせず早期に行うことができる電話装置に関するものである。
【背景技術】
【０００２】
従来から、第１の相手先と通話中に、第２の相手先から着信（割り込み着信の要求）があると、その第２の相手先から着信があったことを報知して、操作者に知らせる機能を有した電話装置が知られている。この電話装置では、第２の相手先からの着信があったことを操作者が知った場合に、操作者により短時間のオンフック操作または通話先を切り換える切換キーが操作されると、第１の相手先との通話が保留され、通話先が第２の相手先に切り換えられる。また、第２の相手先との通話中に、再度、短時間のオンフック操作または切換キーが操作されると、第２の相手先から第１の相手先に通話先が切り換えられる。
【０００３】
この電話装置では、通話先を切り換える場合に、短時間のオンフック操作ではなく、誤ってハンドセットを設置する操作（長時間のオンフック操作）をしてしまうと、第１の相手先または第２の相手先のうち保留されていた相手先との接続も切断されてしまうという問題があった。
【０００４】
そこで、特開平７−１５４９０号公報には、第２の相手先との通話を終了する際に、誤ってハンドセットを設置する操作をした場合、第１の相手先との通話を継続しつつ、呼び出し音を出力して、操作者に保留されている相手がいることを知らせる電話装置が開示されている。この電話装置では、保留されている相手がいることを知った操作者がハンドセットを取り外し、短時間のオンフック操作または切換キーを操作すると、保留中の相手先に通話先が切り換えられるので、操作者の誤った操作によって保留中の相手先との通話が切断されることを防止することができる。また、保留中の相手先に切り換えられた状態で、相手先からの通話が切断された場合に送信されるビジートーン信号を検出すると、呼び出し音の出力を停止すると共に相手先との通話を切断するようにも構成されている。
【特許文献１】特開平７−１５４９０号公報
【発明の開示】
【発明が解決しようとする課題】
【０００５】
しかしながら、ハンドセットを設置する操作をした場合に、第１の相手先との通話を継続しつつ呼び出し音を出力する電話装置では、その呼び出し音が出力されてから操作者によりハンドセットが取り外され、短時間のオンフック操作または切換キーが操作されるまでの間は保留中の相手先との通話が継続されている。よって、ハンドセットを取り外す操作と短時間のオンフック操作または切換キーの操作とをしないと、通話先を保留中の相手先に切り換えられないので、煩雑な作業が必要となり早期の切り換えや切断を行えないという問題点があった。
【０００６】
なお、保留中の相手先と通話可能である場合には、操作者によりハンドセットを取り外す操作と短時間のオンフック操作または切換キーの操作とが行われるまでの間、通話時間に応じて加算される通話料金が課金されるので、早期の接続が行えないと必要以上の通話料金がかかってしまうという問題点もある。
【０００７】
本発明は、上記問題点を解決するためになされたものであり、相手先との通話の継続または切断を、煩雑な作業を必要とせず早期に行うことができる電話装置を提供することを目的としている。
【課題を解決するための手段】
【０００８】
上記目的を達成するために、請求項１記載の電話装置は、第１端末装置と通信回線を介して通話中に、その通信回線を介して第２端末装置からの割り込み着信の要求を受信可能に構成されており、前記第１端末装置との通話中に、前記第２端末装置からの割り込み着信の要求を受信したか否かを検出する検出手段と、その検出手段により前記第２端末装置からの割り込み着信の要求の受信が検出された状態で、前記第１端末装置から第２端末装置または前記第２端末装置から第１端末装置へ通話先を切り換える場合に操作される操作手段と、その操作手段が操作されて前記第１端末装置または第２端末装置に通話先が切り換えられる毎に変化する変化情報を記憶する記憶手段と、操作者により通話の切断要求がなされた場合に、前記記憶手段に記憶される変化情報の値を判別する変化情報判別手段と、その変化情報判別手段により前記変化情報が第１の値であると判別されると、前記通信回線を介した通話を切断すると共に、前記変化情報判別手段により前記変化情報が第１の値とは異なる第２の値であると判別されると、前記通信回線を介した通話の通話先の端末装置を切り替える制御を行う第１制御手段と、前記変化情報判別手段により前記記憶手段に記憶されている変化情報の値が前記第２の値であると判別されて、前記第１制御手段により通話先の端末装置を切り換える制御が行われた場合に、その切り換えられる端末装置が通信回線を介して通話可能であるか否かを判別する通話判別手段と、その通話判別手段により通話不可であると判別されると、前記通信回線を介した通話を切断すると共に、前記通話判別手段により通話可能であると判別されると、前記通信回線を介した通話を継続させる制御を行う第２制御手段とを備えている。
【０００９】
請求項２記載の電話装置は、請求項１記載の電話装置において、前記第１制御手段は、操作者により通話の切断要求がなされた場合に、前記検出手段により前記割り込み着信の要求の受信が検出されていないと、前記通信回線を介した通話を切断する制御を行うものである。
【００１０】
請求項３記載の電話装置は、請求項１又は２に記載の電話装置において、前記第１端末装置との通話が開始される場合に、前記記憶手段に記憶される変化情報を初期値に設定する初期値設定手段と、前記操作手段が操作されて前記第１端末装置または第２端末装置に通話先が切り換えられる毎に、前記記憶手段に記憶される変化情報に１を加算または減算する加減算手段とを備え、前記変化情報判別手段は、前記記憶手段に記憶されている変化情報の初期値から変化した値が偶数である場合を前記第１の値と判別すると共に、前記記憶手段に記憶されている変化情報の初期値から変化した値が奇数である場合を前記第２の値と判別するものであり、前記第１制御手段は、前記記憶手段に記憶されている変化情報の初期値から変化した値が偶数であると前記変化情報判別手段により判別された場合に、前記通信回線を介した通話を切断すると共に、前記記憶手段に記憶されている変化情報の初期値から変化した値が奇数であると前記変化情報判別手段により判別された場合に、通話先を前記第１端末装置に切り換える制御を行うものである。
【００１１】
請求項４記載の電話装置は、請求項１又は２に記載の電話装置において、前記第１端末装置との通話が開始される場合に、前記記憶手段に記憶される変化情報を初期値に設定する初期値設定手段と、前記操作手段が操作されて前記第１端末装置または第２端末装置に通話先が切り換えられる毎に、前記記憶手段に記憶される変化情報に１を加算または減算する加減算手段とを備え、前記変化情報判別手段は、前記記憶手段に記憶されている変化情報の値が初期値である場合を前記第１の値と判別すると共に、前記記憶手段に記憶されている変化情報の値が初期値から変化している場合を前記第２の値と判別するものであり、前記第１制御手段は、前記記憶手段に記憶されている変化情報の値が初期値であると前記変化情報判別手段により判別された場合に、前記通信回線を介した通話を切断すると共に、前記記憶手段に記憶されている変化情報の値が初期値から変化していると前記変化情報判別手段により判別された場合に、通話先の端末装置を切り換える制御を行うものである。
【００１２】
請求項５記載の電話装置は、請求項１又は２に記載の電話装置において、前記第１端末装置との通話が開始される場合に、前記記憶手段に記憶される変化情報を前記第１の値に設定する第１設定手段と、前記操作手段が操作されて通話先が前記第１端末装置に切り換えられると、前記記憶手段に記憶される変化情報を前記第１の値に設定すると共に、前記操作手段が操作されて通話先が前記第２端末装置に切り換えられると、前記記憶手段に記憶される変化情報を前記第２の値に設定する第２設定手段とを備え、前記第１制御手段は、前記記憶手段に記憶されている変化情報が前記第１の値であると前記変化情報判別手段により判別された場合に、前記通信回線を介した通話を切断すると共に、前記記憶手段に記憶されている変化情報が前記第２の値であると前記変化情報判別手段により判別された場合に、通話先を前記第１端末装置に切り換える制御を行うものである。
【００１３】
【００１４】
なお、通話判別手段は、例えば、通信回線において端末装置との接続が切断された場合に受信するビジートーン信号を第１又は第２端末装置から受信したかを検出して通話可能であるか否かを判別しても良いし、通信回線に接続される端子の極性を検出して通話可能であるか否かを判別しても良い。ここで、通信回線に接続される端子は、通信回線を介して端末装置と接続されている状態と、切断されている状態とで極性が反転するものである。よって、通信回線に接続される端子の極性を検出することで、通話可能であるか否かを判別することができる。
【００１５】
請求項６記載の電話装置は、請求項１から５のいずれかに記載の電話装置において、前記記憶手段に記憶されている変化情報の値が前記第２の値であると前記変化情報判別手段により判別されると、通話先の端末装置を切り換える制御を行う前に、通話先の端末装置を切り換えるか否かの問い合せを行う問合手段と、その問合手段による問い合わせの結果が切り換えを行わない場合に前記通信回線を介した通話を切断すると共に、前記問合手段による問い合わせの結果が切り替えを行う場合に前記通信回線を介した通話を継続させる制御を行う第３制御手段とを備えている。
請求項７記載の電話装置は、請求項１から６のいずれかに記載の電話装置において、操作者によりオンフック操作がされて前記通話の切断要求がなされた場合において、前記第１制御手段により通話先の端末装置が切り替えられると、呼出音を鳴動する鳴動手段と、操作者による前記オンフック操作以外の操作によって通話の切断要求がなされた場合において、前記第１制御手段により通話先の端末装置が切り替えられると、前記鳴動手段による前記呼出音の鳴動を禁止する鳴動禁止手段とを備える。
【００１６】
請求項８記載の電話装置は、請求項１から７のいずれかに記載の電話装置において、前記第１又は第２端末装置との通話を切断する場合に、その通話を切断する前記第１又は第２端末装置に対して、通話不可を示唆するお断りメッセージを出力する出力手段を備えている。
【００１７】
なお、出力手段は、第１又は第２端末装置との通話を切断する場合に、お断りメッセージを出力するために操作されるお断り操作手段が操作された場合のみ出力しても良いし、通話が保留（通話先が他の端末装置に切り換えられたが切断されていない）状態である全ての端末装置に対して出力しても良い。
請求項９記載の電話装置は、請求項８記載の電話装置において、前記出力手段は、操作者から第１切断要求がなされた場合において、前記第１又は第２端末装置との通話を切断する場合に前記お断りメッセージを出力するものであり、前記第１切断要求とは異なる第２切断要求がなされた場合、前記出力手段による前記お断りメッセージの出力を禁止する出力禁止手段を備える。
【発明の効果】
【００１８】
請求項１記載の電話装置によれば、通信回線を介して第１端末装置と通話中に、その通信回線を介して第２端末装置からの割り込み着信の要求を受信したか否かが検出手段により検出される。その検出手段により第２端末装置からの割り込み着信の要求の受信が検出された状態で、操作手段が操作されると、第１端末装置から第２端末装置または第２端末装置から第１端末装置へ通話先が切り換えられる。また、操作手段が操作されて第１端末装置または第２端末装置に通話先が切り換えられる毎に変化する変化情報は、記憶手段に記憶される。よって、操作者により操作手段が操作されて通話先が第１端末装置または第２端末装置に切り換えられる回数に応じて、記憶手段に記憶される変化情報の値が異なる。
【００１９】
また、操作者により通話の切断要求がなされた場合には、記憶手段に記憶される変化情報の値が変化情報判別手段により判別され、その変化情報判別手段により変化情報が第１の値であると判別されると、通信回線を介した通話を切断する制御が第１制御手段により行われる一方、変化情報判別手段により変化情報が第１の値とは異なる第２の値であると判別されると、通信回線を介した通話を継続する制御が第１制御手段により行われる。
【００２０】
ここで、操作者により操作手段が操作された場合の第１端末装置または第２端末装置との通話状態の一例を説明する。操作者により操作手段が操作された後の通話先が第２端末装置となる場合は、通常、第１端末装置の通信回線を介した通話は保留中となる。一方、操作者により操作手段が操作された後の通話先が第１端末装置となる場合は、通常、第２端末装置との通話が終了しているので、第２端末装置との通信回線を介した通話は切断されている。
【００２１】
請求項１記載の電話装置によれば、操作者により操作手段が操作されて通話先が第１端末装置または第２端末装置に切り換えられる毎に変化する変化情報の値が第１の値か第２の値かに応じて、通信回線を介した通話を切断するか、通話の通話先の端末装置を切り替えるかを第１制御手段により制御できる。
【００２２】
そのため、例えば、変化情報の値が第１の値となる場合に、操作者により操作手段が操作された後の通話先が第１端末装置となるように対応付けすれば、通話先が第１端末装置である場合に操作者による切断要求がなされると、通信回線を介した通話を切断できる。また、例えば、変化情報の値が第２の値となる場合に、操作者により操作手段が操作された後の通話先が第２端末装置となるように対応付けすれば、通話先が第２端末装置である場合に操作者による切断要求がなされると、通信回線を介した通話の通話先の端末装置を切り替える制御が行われる。
【００２３】
よって、変化情報の値に応じて通信回線を介した通話を切断するか通話先の端末装置を切り替えるかを制御できるので、第１端末装置または第２端末装置が通話可能な状態にも関わらず、通信回線を介した通話が切断されることを防止できると共に、第１端末装置または第２端末装置が通話不可の状態にも関わらず、通信回線を介した通話が継続されることを防止することができるという効果がある。
【００２４】
また、通信回線を介した通話の切断および通話先の端末装置の切り替えは、第１制御手段により制御されるので、従来のように、ハンドセットを取り外す操作と短時間のオンフック操作または切換キーの操作とが不要となり、煩雑な作業を省き早期に行うことができるという効果がある。
また、記憶手段に記憶されている変化情報の値が第２の値であると変化情報判別手段により判別されて、通話先の端末装置を切り換える制御が第１制御手段により行われる場合に、その切り換えられる端末装置が通信回線を介して通話可能であるか否かが通話判別手段により判別される。そして、通話判別手段により通話不可であると判別されると、通信回線を介した通話を切断する制御が第２制御手段により行われ、通話判別手段により通話可能であると判別されると、前記通信回線を介した通話を継続させる制御が第２制御手段により行われる。
よって、第１制御手段により通話先の端末装置が切り換えられる場合に、その切り換えられる端末装置が通信回線を介して通話可能であるか否かに応じて、通話の切断または通話の継続を第２制御手段により制御することができる。従って、切り換えられる通話先の端末装置が通話不可である場合には、その端末装置への通話の切り換えが行われないので、早期の切断を行うことができるという効果がある。
【００２５】
請求項２記載の電話装置によれば、請求項１記載の電話装置の奏する効果に加え、操作者により通話の切断要求がなされた場合に、検出手段により割り込み着信の要求の受信が検出されていないと、通信回線を介した通話を切断する制御が第１制御手段により行われる。ここで、操作者により通話の切断要求がされた場合に、割り込み着信の要求を受信していないのは、切断要求がなされる前の通話先としか通信回線を介した通話が行われていないので、通話の継続が不要である。よって、通信回線を介した通話の継続が不要な場合には、第１制御手段により早期に切断を行うことができるという効果がある。
【００２６】
請求項３記載の電話装置によれば、請求項１又は２に記載の電話装置の奏する効果に加え、第１端末装置との通話が開始される場合には、記憶手段に記憶される変化情報が初期値設定手段により初期値に設定され、操作手段が操作されて第１端末装置または第２端末装置に通話先が切り換えられると、その通話先が切り換えられる毎に、加減算手段により記憶手段に記憶される変化情報に１が加算または減算される。よって、記憶手段に記憶される変化情報は、操作手段が操作されて通話先が切り換えられる毎に値が１ずつ変化するので、変化情報の初期値から変化した値が偶数であれば第１端末装置が通話先となり、変化情報の初期値から変化した値が奇数であれば、第２端末装置が通話先となる。
【００２７】
そして、操作者により切断要求がなされた場合に、記憶手段に記憶されている変化情報の初期値から変化した値が偶数（第１の値）であると変化情報判別手段により判別されると、通信回線を介した通話を切断する制御が第１制御手段により行われ、記憶手段に記憶されている変化情報の初期値から変化した値が奇数（第２の値）であると変化情報判別手段により判別されると、通話先を第１端末装置に切り換える制御が第１制御手段により行われる。
【００２８】
よって、記憶手段に記憶される変化情報の初期値から変化した値が偶数であり、第１端末装置が通話先であれば、通信回線を介した通話を第１制御手段により切断できるし、記憶手段に記憶される変化情報の初期値から変化した値が奇数であり、第２端末装置が通話先であれば、通信回線を介した通話を第１端末装置に第１制御手段により切り換えることができる。従って、操作者により切断要求がなされた場合に、通話可能な端末装置がない場合（通話先が第１端末装置の場合）には、早期の切断を行うことができるし、通話可能な端末装置がある場合（通話先が第２端末装置の場合）には、その通話可能な端末装置へ通話先を切り換えることができるという効果がある。
【００２９】
請求項４記載の電話装置によれば、請求項１又は２に記載の電話装置の奏する効果に加え、第１端末装置との通話が開始される場合には、記憶手段に記憶される変化情報が初期値設定手段により初期値に設定され、操作手段が操作されて第１端末装置または第２端末装置に通話先が切り換えられると、その通話先が切り換えられる毎に、加減算手段により記憶手段に記憶される変化情報に１が加算または減算される。よって、記憶手段に記憶される変化情報は、操作手段が操作されて通話先が切り換えられる毎に値が１ずつ変化するので、記憶手段に記憶されている変化情報が初期値であれば、第１端末装置から通話先が一度も切り替わっていないことになり、変化情報が初期値から変化していれば、第１端末装置から少なくとも１回以上は第２端末装置に通話先が切り換えられたことになる。
【００３０】
そして、記憶手段に記憶されている変化情報の値が初期値（第１の値）であると変化情報判別手段により判別されると、通信回線を介した通話を切断する制御が第１制御手段により行われ、記憶手段に記憶されている変化情報の値が初期値から変化している（第２の値）と変化情報判別手段により判別されると、通話先の端末装置を切り換える制御が第１制御手段により行われる。
【００３１】
よって、操作者により切断要求がなされた場合に、変化情報が初期値であり通話先が第１端末装置であれば、通信回線を介した通話を第１制御手段により切断できるし、変化情報が初期値から変化しており、通話先が第１又は第２端末装置のどちらかであれば、通信回線を介した通話を第１端末装置または第２端末装置に第１制御手段により切り換えることができる。従って、操作者により切断要求がなされた場合に、通話可能な端末装置がない場合（通話先が第１端末装置の場合）には、早期の切断を行うことができるし、第１端末装置または第２端末装置が保留中の可能性がある場合（通話先が第１又は第２端末装置の場合）には、その保留中の端末装置に通話先を切り換えることができるという効果がある。
【００３２】
請求項５記載の電話装置によれば、請求項１又は２に記載の電話装置の奏する効果に加え、第１端末装置との通話が開始される場合には、記憶手段に記憶される変化情報が第１設定手段により第１の値に設定される。また、操作手段が操作されて通話先が第１端末装置に切り替えられると、記憶手段に記憶される変化情報が第１設定手段により第１の値に設定され、操作手段が操作されて通話先が第２端末装置に切り換えられると、記憶手段に記憶される変化情報が第２設定手段により第２の値に設定される。よって、変化情報が第１の値であれば、通話先が第１端末装置となり、変化情報が第２の値であれば、通話先が第２端末装置となる。
【００３３】
そして、記憶手段に記憶されている変化情報が第１の値であると変化情報判別手段により判別されると、通信回線を介した通話を切断する制御が第１制御手段により行われ、記憶手段に記憶されている変化情報が第２の値であると変化情報判別手段により判別されると、通話先を第１端末装置に切り換える制御が第１制御手段により行われる。
【００３４】
よって、操作者により切断要求がなされた場合に、変化情報が第１の値であり通話先が第１端末装置であれば、通信回線を介した通話を切断する制御が第１制御手段により行われ、変化情報が第２の値であり通信先が第２端末装置であれば、通話先を第１端末装置に切り換える制御が第１制御手段により行われる。従って、操作者により切断要求がなされた場合に、通話可能な端末装置がない場合（通話先が第１端末装置の場合）には、早期の切断を行うことができるし、通話可能な端末装置がある場合（通話先が第２端末装置の場合）には、その通話可能な端末装置へ通話先を切り換えることができるという効果がある。
【００３５】
【００３６】
【００３７】
請求項６記載の電話装置によれば、請求項１から５のいずれかに記載の電話装置の奏する効果に加え、記憶手段に記憶されている変化情報の値が第２の値であると変化情報判別手段により判別されると、通話先の端末装置を切り換える制御が行われる前に、その第１又は第２端末装置の切り換えを行うか否かの問い合せが問合手段により行われる。そして、問合手段による問い合わせの結果が切り替えを行わない場合には、通信回線を介した通話を切断する制御が第３制御手段により行われる。
【００３８】
よって、通話先の端末装置を切り換える制御が行われる前に、操作者に対して端末装置の切り換えを行うか否かを問い合わせて、その問い合わせの結果に応じて、通話の切断または通話の継続が第３制御手段により制御される。従って、操作者の意志によって、通話の切断または通話の継続を行えるので、使い勝手の良い電話装置を提供することができるという効果がある。
【００３９】
請求項８記載の電話装置によれば、請求項１から７のいずれかに記載の電話装置の奏する効果に加え、第１又は第２端末装置との通話を切断する場合に、その通話を切断する第１又は第２端末装置に対して、通話不可を示唆するお断りメッセージが出力手段により出力されるので、操作者が通話をしたくない端末装置（相手）との通話を拒否することができ、使い勝手の良い電話装置を提供することができるという効果がある。
【発明を実施するための最良の形態】
【００４０】
以下、本発明の好ましい実施形態について、添付図面を参照して説明する。まず、図１を参照して、本発明における一実施形態の電話装置の一つである多機能周辺装置（以下、「ＭＦＰ（Ｍｕｌｔｉ  Ｆｕｎｃｔｉｏｎ  Ｐｅｒｉｐｈｅｒａｌ）」と称す）１について説明する。図１は、ＭＦＰ（親機）１と子機２との電気的構成を示したブロック図である。
【００４１】
図１に示すＭＦＰ１は、通話機能、ファクシミリ機能、プリンタ機能、スキャナ機能、及び、コピー機能などの各種の機能を有する電話装置である。なお、本実施形態のＭＦＰ１が有する通話機能は、電話回線網１００を介して相手先の電話装置（端末装置）との間で通話を行う機能の他に、電話回線網１００を介して第３者からの着信を受信した場合に、通話中であった電話装置との通話を保留中にすると共に通話先を第３者に切り換えるキャッチホン機能（登録商標）を有している。また、ファクシミリ機能、プリンタ機能、スキャナ機能、及びコピー機能は、ＭＦＰ１における公知の技術であるので、その詳細な説明は省略する。
【００４２】
ＭＦＰ１は、子機２との間で無線通話が可能なデジタルコードレス電話の親機である。よって、ＭＦＰ１は、用途に応じて、送受話器２３又は子機２を選択的に使用でき、更には、送受話器２３と子機２との間で内線通話もできるように構成されている。
【００４３】
図１に示すように、ＭＦＰ１は、ＣＰＵ１１、ＲＯＭ１２、ＲＡＭ１３、フラッシュメモリ１４、操作キー１５、液晶表示部（以下、「ＬＣＤ：Ｌｉｑｕｉｄ  Ｃｒｙｓｔａｌ  Ｄｉｓｐｌａｙ」と称す）１６、スピーカ１７、計時回路１８、スキャナ１９、プリンタ２０、モデム２１、ＮＣＵ（Ｎｅｔｗｏｒｋ  Ｃｏｎｔｒｏｌ  Ｕｎｉｔ）２２、送受話器２３、計時回路２４、及び、アンテナ２５に接続されるデジタルコードレスインターフェース（以下、「デジタルコードレスＩ／Ｆ」と称す）２４、フックスイッチ２８を主に有しており、これらはバスライン２７を介して互いに接続されている。
【００４４】
ＣＰＵ１１は、ＲＯＭ１２やフラッシュメモリ１４に記憶される固定値やプログラムに従って、又は、デジタルコードレスＩ／Ｆ２４を介して送受信される各種信号（データ）に従って、バスライン２７により接続された各部を制御する演算処理装置である。
【００４５】
ＲＯＭ１２は、ＭＦＰ１で実行される各種の制御プログラムや固定値データを記憶する書換不能なメモリである。ＲＯＭ１２には、お断りメッセージ記憶エリア１２ａが設けられている。このお断りメッセージ記憶エリア１２ａには、相手先との通話を切断する場合に流される音声データが記憶されている。例えば、音声データとしては、「只今、電話にでれません」という音声を出力するデータである。
【００４６】
ＲＡＭ１３は、各種のデータを一時的に記憶するための書換可能なメモリである。ＲＡＭ１３には、フッキングカウンタ１３ａが設けられている。このフッキングカウンタ１３ａは、フッキングキー１５ａ又はフッキングキー３５ａが操作されて、通話先の電話装置が切り換えられた場合に変化する値を記憶するカウンタである。なお、フッキングカウンタ１３ａは、後述する通話監視処理（図２参照）のＳ１０１の処理で初期値（値０）が設定され、フッキング信号が出力される毎に１が加算される（Ｓ１０５）。
【００４７】
フラッシュメモリ１４は書換可能な不揮発性のメモリであり、このフラッシュメモリ１４に記憶されたデータは、ＭＦＰ１の電源オフ後も保持される。
【００４８】
操作キー１５は、図示しない操作パネルに設けられており、数字ボタンやスタートボタン、機能操作ボタン等から構成されている。ユーザは、操作キー１５を操作し、ＭＦＰ１の電源のオン／オフや、各機能の切り替えや、各種動作の指示を行うことができる。
【００４９】
また、操作キー１５には、フッキングキー１５ａと、お断り又は切断キー１５ｂとが設けられている。フッキングキー１５ａは、電話回線網１００を介して第３者からの着信を受信した場合に、通話先を第３者に切り換える場合に操作される操作子である。お断り又は切断キー１５ｂは、電話回線網１００を介して第３者からの着信を受信している状態で、電話回線網１００を介した通話を切断する場合に操作される操作子である。なお、本実施形態では、お断り又は切断キー１５ｂは、「お断り」又は「切断」のいずれか一方が操作者（使用者）により予め割り付け可能に構成されている。
【００５０】
ＬＣＤ１６は、図示しない操作パネルに設けられた液晶の表示部であり、操作キー１５の操作に応じたメニューや動作状態などが表示される。さらに、ＬＣＤ１６には、スキャナ機能により読み取られた画像を表示したり、ＰＣ５１から送信されて印刷を行う画像なども表示される。
【００５１】
スピーカ１７は、状況に応じた各種音声（例えば、操作キー１５の操作音やエラー発生時の注意音、着信の呼出音など）を出力するものであり、かかる音声の放音によってユーザに状況を報知することができる。
【００５２】
計時回路１８は、現在の日時を刻む内部時計を有しており、計時を開始した日時と現在の日時とを比較して所要時間を算出する既知の回路である。
【００５３】
スキャナ１９は、ＣＰＵ１１からの指示に基づいて、原稿読取台（図示せず）にセットされた原稿から画像の読み取りを行うと共に、その画像をＬＣＤ１６に表示したりプリンタ２０で印刷可能な画像データを生成するものである。このスキャナ１９により読み取られた画像データは、ＭＦＰ１がファクシミリモードやスキャナモード、コピーモードに設定されている場合には、ＲＡＭ１３における所定の記憶領域に格納される。
【００５４】
プリンタ２０は、ＣＰＵ１１からの指示に基づいて、給紙カセット（図示せず）内の記録用紙への印刷を行うものである。このプリンタ２０は、ＭＦＰ１がファクシミリモードやスキャナモード、コピーモードに設定されている場合には、上述したＲＡＭ１３に記憶された画像データに基づいて印刷を行ったり、外部のパーソナルコンピュータから送信された画像データに基づいて印刷を行うものである。
【００５５】
なお、本実施形態のプリンタ２０は、印刷する画像データに基づいて、選択的にインク滴を吐出することによって、記録用紙上に画像を記録する所謂インクジェット方式の画像記録装置（インクジェット記録装置）で構成されている。
【００５６】
モデム２１は、ＣＰＵ１１からの指示に基づいて、ＲＡＭ１３に記憶される送信データを電話回線網１００に伝送可能な画像信号に変調し、ＮＣＵ２２を介して送信したり、電話回線網１００からＮＣＵ２２を介して入力された画像信号を受信し、ＬＣＤ１６に表示したりプリンタ２０で印刷可能な画像データに復調するものである。
【００５７】
ＮＣＵ２２は、電話回線網１００と接続されており、電話回線網１００へのダイヤル信号の送出や、電話回線網１００からの呼出信号の応答、電話回線網１００への切断信号の出力などの制御を行うものである。また、ＮＣＵ２２は、第３者からの着信を示す通話中着信信号の受信を検出したり、通話先の電話装置を切り換えるフッキング信号を出力する制御も行う。
【００５８】
送受話器２３は、子機２や、電話回線網１００を介して接続された外部の電話装置（第１端末装置または第２端末装置）と通話を行うための装置であり、音声のアナログ信号（音声データ）をデジタル信号（通話データ）に変換すると共にデジタル信号をアナログ信号に変換するマイク（図示せず）と、音声を外部へ出力（放音）するスピーカ（図示せず）とを有している。
【００５９】
フックスイッチ２８は、送受話器２３が設置される設置台（図示せず）に設けられており、送受話器２３が設置台に設置されている状態を検出するセンサである。よって、フックスイッチ２８の検出結果により、送受話器２３がＭＦＰ１に設置されているか、送受話器２３がＭＦＰ１から取り外されているかを判断することができる。
【００６０】
なお、以下の説明では、送受話器２３を設置台に設置する操作を「オンフック操作」とし、送受話器２３を設置台から取り外す操作を「オフフック操作」として説明する。また、操作者によりフックスイッチ２８が押される操作も、オンフック操作である。
【００６１】
また、送受話器２３は、操作者によりオフフック操作が行われた際には、ＮＣＵ２２またはデジタルコードレスＩ／Ｆ２４と電気的に接続される。また、送受話器２３は、操作者によりオンフック操作が行われた際には、送受話器２３とＮＣＵ２２やデジタルコードレスＩ／Ｆ２４との電気的な接続が解除される。
【００６２】
デジタルコードレスＩ／Ｆ２４は、コードレス用アンテナ２５に接続されており、送受話器２３のオフフック操作などにより、送受話器２３とデジタルコードレスＩ／Ｆ２４とが接続される結果、ＭＦＰ１と子機２とが無線通信により接続される。
【００６３】
また、デジタルコードレスＩ／Ｆ２４は、送受話器２３から音声データが送られると、その音声データを無線通信用のデジタル信号に変換し子機２へ送信（出力）する。一方で、子機２から送信された無線通信用のデジタル信号を受信すると、その受信したデジタル信号を音声データに変換して送受話器２３に出力する。
【００６４】
次に、子機２について説明する。子機２は、ＣＰＵ３１、ＲＯＭ３２、ＲＡＭ３３、フラッシュメモリ３４、操作キー３５、ＬＣＤ３６、送受話器３７、及び、デジタルコードレスＩ／Ｆ３８を主に有し、これらはバスライン４０を介して互いに接続されている。
【００６５】
ＣＰＵ３１は、ＲＯＭ３２やフラッシュメモリ３４に記憶される固定値やプログラムに従って、或いは、デジタルコードレスＩ／Ｆ３８を介して送受信される各種信号に従って、バスライン４０により接続された各部を制御する演算装置である。
【００６６】
ＲＯＭ３２は、この子機２で実行される各種の制御プログラムや固定値を記憶する書換不能なメモリであり、ＲＡＭ３３は、各種のデータを一時的に記憶するための書換可能なメモリである。また、フラッシュメモリ３４は、書換可能な不揮発性のメモリであり、このフラッシュメモリ３４に記憶されたデータは、子機３１の電源オフ後も保持される。
【００６７】
操作キー３５は、数字ボタン（テンキー）や通話ボタンや機能操作ボタン等から構成されている。操作キー３５は、子機２の各種機能や設定を行う場合に操作したり、電話回線網１００を介して通話を行う場合に操作される。また、操作キー３５には、ＭＦＰ１に設けられたフッキングキー１５ａ及びお断り又は切断キー１５ｂと同様のフッキングキー３５ａとお断り又は切断キー３５ｂとが設けられている。
【００６８】
ＬＣＤ３６は、通話中や待機中の各種情報を表示するものであり、例えば、操作キー３５により入力された相手先の電話番号などが表示される。
【００６９】
送受話器３７は、ＭＦＰ１（所謂、内線通話を行う場合）、又は、電話回線網１００を介して接続された相手先と通話を行うための装置であり、マイク（図示せず）とスピーカ（図示せず）とが接続されている。
【００７０】
この送受話器３７は、操作キー３５の操作によりオフフック操作（例えば、「通話キー」の押圧操作）が行われた際には、デジタルコードレスＩ／Ｆ３８と電気的に接続され、操作キー３５によりオンフック操作（例えば、「切りキー」の押圧操作）が行われた際には、デジタルコードレスＩ／Ｆ３８との電気的な接続が解除される。
【００７１】
デジタルコードレスＩ／Ｆ３８は、コードレス用アンテナ３９に接続されている。そして、操作キー３５のオフフック操作などにより、送受話器３７とデジタルコードレスＩ／Ｆ３８とが接続される結果、子機２とＭＦＰ１とが無線通信により接続される。
【００７２】
デジタルコードレスＩ／Ｆ３８は、送受話器３７から音声データが送られてくると、その音声データを無線通信用のデジタル信号に変換してＭＦＰ１へ送信（出力）する。一方、ＭＦＰ１から送信された無線通信用のデジタル信号を受信されると、音声データに変換して送受話器３７に出力する。
【００７３】
ここで、ＭＦＰ１において、キャッチホン機能（登録商標）を使用して外部の電話装置と通話を行う場合の操作および通話状態について説明する。ＭＦＰ１は、まず、電話回線網１００を介して第１の電話装置からの呼出信号を受信すると、呼び出し音を出力し、操作者に第１の電話装置から着信があったことを知らせる。第１の電話装置から着信があったことを知った操作者が送受話器２３をＭＦＰ１から取り外すと（即ち、オフフック操作がなされると）、電話回線網１００を介して応答信号を出力し、第１の電話装置と通話が開始される。
【００７４】
また、第１の電話装置との通話中に、第２の電話装置から着信があり、電話回線網１００を介して通話中着信信号を受信すると、送受話器２３のスピーカに第１の電話装置との通話音声に重ねて報知音を出力し、操作者に第２の電話装置から着信があったことを知らせる。
【００７５】
そして、操作者が、第２の電話装置と通話を行うために、フッキングキー１５ａを操作すると、フッキング信号を電話回線網１００を介して出力し、第１の電話装置との通話状態が保留中に切り換えられると共に、通話先が第２の電話装置に切り換えられ第２の電話装置と通話が開始される。
【００７６】
その後、第１の電話装置または第２の電話装置との通話中に、フッキングキー１５ａが操作される毎に、フッキング信号を電話回線網１００を介して出力し、通話中であった電話装置との通話状態が保留中に切り換えられると共に、保留中であった電話装置に通話先が切り換えられる。
【００７７】
次に、図２を参照して、ＭＦＰ１のＣＰＵ１１により実行される通話監視処理について説明する。図２は、ＭＦＰ１のＣＰＵ１１により実行される通話監視処理を示したフローチャートである。通話監視処理は、ＭＦＰ１又は子機２が電話回線網１００を介して外部の電話装置と通話を開始した場合に実行される処理である。なお、以下の説明では、ＭＦＰ１の送受話器２３を使用して外部と通話を行う場合について説明する。
【００７８】
通話監視処理が実行されると、まず、フッキングカウンタ１３ａの値を０に設定し（Ｓ１０１）、現在、外部の電話装置と通話中であるか否かを確認する（Ｓ１０２）。Ｓ１０２の処理で、現在、外部の電話装置と通話中でなければ（Ｓ１０２：Ｎｏ）、通話の監視をする必要がないので、通話監視処理を終了する。
【００７９】
一方、Ｓ１０２の処理で、現在、外部の電話装置と通話中であれば（Ｓ１０２：Ｙｅｓ）、フッキングキー１５ａが操作されたか否かを確認する（Ｓ１０３）。フッキングキー１５ａは、上述したように、第１の電話装置との通話中に通話中着信信号を受信した状態（第２の通話装置からの着信があった状態）で、通話先の電話装置を切り換えるために操作される。
【００８０】
よって、Ｓ１０３の処理で、フッキングキー１５ａが操作されていれば（Ｓ１０３：Ｙｅｓ）、通話先の電話装置を切り換える為に、電話回線網１００を介して外部へフッキング信号を出力する（Ｓ１０４）。そして、通話先の外部装置が切り換えられたので、フッキングカウンタ１３ａの値に１を加算して（Ｓ１０５）、再度、通話中であるか否かを確認するためにＳ１０２の処理へ戻る。
【００８１】
一方、Ｓ１０３の処理で、フッキングキー１５ａが操作されていなければ（Ｓ１０３：Ｎｏ）、回線開放要求がなされたか否かを確認する（Ｓ１０６）。Ｓ１０６の処理は、操作者により送受話器２３がＭＦＰ１に設置されて（オンフック操作がなされて）、通話中の回線を開放する要求（切断要求）がなされたか否かを確認する処理である。
【００８２】
Ｓ１０６の処理で、通話中の電話装置との通話が継続されており、回線開放要求がなされてなれば（Ｓ１０６：Ｎｏ）、Ｓ１０２の処理へ戻り、再度、通話中であるか否かを確認し、オンフック操作されて回線開放要求がなされていれば（Ｓ１０６：Ｙｅｓ）、Ｓ１０７の処理へ移行する。
【００８３】
即ち、操作者により送受話器２３が設置されるまでは、Ｓ１０２からＳ１０６の処理が繰り返し実行されることになる。具体的には、同じ電話装置と通話中であれば、Ｓ１０２，Ｓ１０３，Ｓ１０６の処理が繰り返し実行され、フッキングキー１５ａが操作されて通話先を切り換える場合のみ、Ｓ１０２，Ｓ１０３からＳ１０５の処理が実行される。
【００８４】
Ｓ１０７の処理では、操作者によりオンフック操作されて通話中の電話装置との通話を切断するタイミングとなるので、外部の電話装置との通話が開始されてから通話先の電話装置が切り換えられたか否かを確認するために、フッキングカウンタ１３ａの値が０より大きいか否かを確認する（Ｓ１０７）。
【００８５】
即ち、フッキングカウンタ１３ａの値は、Ｓ１０１の処理で０が設定され、フッキングキー１５ａが操作される毎に１が加算されるので（Ｓ１０５）、フッキングカウンタ１３ａの値が０であれば、通話先の電話装置が一度も切り換えられていないので、通話中の電話装置が第１の電話装置となる。一方、フッキングカウンタ１３ａの値が１以上であれば、少なくとも１回は、フッキングキー１５ａが操作されて通話先の電話装置が切り換えられているので、通話中の電話装置は第１の電話装置であるか第２の電話装置であるか不明となる。
【００８６】
よって、Ｓ１０７の処理で、フッキングカウンタ１３ａの値が０であれば（Ｓ１０７：Ｎｏ）、通話先が一度も切り換えられておらず、通話状態が保留中の電話装置がないので、電話回線網１００を介して接続された回線を直ぐに切断して（Ｓ１０８）、通話監視処理を終了する。
【００８７】
一方、Ｓ１０７の処理で、フッキングカウンタ１３ａの値が１以上であれば（Ｓ１０７：Ｙｅｓ）、少なくとも１回以上、通話先の電話装置が切り換えられているので、保留中であり通話可能な相手先をＬＣＤ１６に表示すると共に、その通話可能な相手先との通話を切断するか否かの問い合わせをＬＣＤ１６に表示する（Ｓ１１１）。
【００８８】
Ｓ１１１の処理の表示は、本実施形態では、「相手先１保留中」又は「相手先２保留中」の表示と共に、「通話／切断？」の表示がなされる。操作者は、通話可能な相手先を確認して、通話を行いたい場合には送受話器２３をＭＦＰ１から取り外すオフフック操作を行い、既に要件を伝えて通話する必要がなければ、お断り又は切断キー１５ｂを操作する。
【００８９】
なお、通話可能な相手先の表示は、外部の電話装置との接続状態を検出（例えば、後述するビジートーン信号を検出または極性反転を検出）して表示しても良いし、フッキングカウンタ１３ａの値を参照して表示しても良い。フッキングカウンタ１３ａは、Ｓ１０１の処理で値が０に設定され、フッキングキー１５ａが操作されて通話先の電話装置が切り換えられる毎にＳ１０５の処理で１が加算されることから、値が偶数であれば通話先が第１の電話装置となり、値が奇数であれば通話先が第２の電話装置となる。よって、フッキングカウンタ１３ａの値を参照する場合には、フッキングカウンタ１３ａの値が偶数であれば、「相手先２保留中」と表示し、フッキングカウンタ１３ａの値が奇数であれば、「相手先１保留中」と表示する。
【００９０】
また、Ｓ１１１の処理の表示は、公知のナンバーディスプレイやキャッチナンバーディスプレイ、ネームディスプレイの機能を有していれば、通話可能な相手先の電話番号や、電話帳照合によって検出された名前の表示を行うものとしても良い。さらに、ＬＣＤ１６の「通話／切断？」の表示に代えて、「切断しますか？  通話者を切り換えますか？」の音声を、送受話器２３を介して発音する音声ガイダンスをして、切断が選択された場合には回線を切断しても良い（Ｓ１０８）。
【００９１】
そして、Ｓ１１２の処理では、操作者が送受話器２３をオンフック操作したので、相手先を切り換えるために、フッキング信号を電話回線網１００を介して出力し（Ｓ１１２）、そのフッキング信号が出力されて切り換えられた電話装置からビジートーン信号を受信したか否かを確認する（Ｓ１１３）。
【００９２】
Ｓ１１３の処理で、切り換えられた電話装置からビジートーン信号を受信していなければ（Ｓ１１３：Ｎｏ）、その切り換えられた電話装置との通話が可能となるので、ＭＦＰ１に設けられたスピーカ（図示せず）又は送受話器２３に設けられたスピーカ（図示せず）を介して呼出音を鳴動し（Ｓ１１４）、操作者による送受話器２３のオフフック操作を促す。
【００９３】
Ｓ１１４の処理で、呼出音が鳴動されると、Ｓ１１１の処理で操作者が、お断り又は切断キー１５ｂを操作したか否かを確認すると共に（Ｓ１１５）、オフフック操作をしたか否かを確認する（Ｓ１１６）。なお、お断り又は切断キー１５ｂの操作またはオフフック操作が確認されるまで、Ｓ１１５の処理とＳ１１６の処理とが繰り返し実行される（Ｓ１１５：Ｎｏ、Ｓ１１６：Ｎｏ）。
【００９４】
そして、操作者が送受話器２３を取り外すオフフック操作を行った場合には（Ｓ１１５：Ｎｏ、Ｓ１１６：Ｙｅｓ）、保留中の電話装置との通話が開始されるので、Ｓ１０１の処理へ戻る。なお、Ｓ１１６の処理がＹｅｓとなる場合には、オフフック操作がなされるので、Ｓ１１４の処理で鳴動された呼出音の発音が停止される。
【００９５】
Ｓ１１６の処理で、操作者が送受話器２３を取り外すオフフック操作を行った場合にＳ１０１の処理へ戻るのは、電話回線網１００を介して接続された回線を切断するために操作者がオンフック操作した後の通話となるので、新たな通話とみなし、Ｓ１０１の処理でフッキングカウンタ１３ａの値を初期化するためである。
【００９６】
また、Ｓ１１５の処理で、お断り又は切断キー１５ｂが操作者に操作されていれば（Ｓ１１５：Ｙｅｓ）、操作者によって予め選択されたお断り又は切断キー１５ｂの割り付けが「お断り」であるか否かを確認する（Ｓ１１７）。
【００９７】
Ｓ１１７の処理で、お断り又は切断キー１５ｂの割り付けが「お断り」であれば（Ｓ１１７：Ｙｅｓ）、お断りメッセージ記憶エリア１２ａからお断りメッセージを読み出して、そのお断りメッセージを切り換えられた電話装置に対して流し（Ｓ１１８）、お断り又は切断キー１５ｂの割り付けが「切断」であれば（Ｓ１１７：Ｎｏ）、Ｓ１１８の処理を実行せずに、電話回線網１００を介して接続された回線を切断して（Ｓ１０８）、通話監視処理を終了する。なお、Ｓ１１５の処理がＹｅｓとなった場合にも、その後、電話回線網１００を介して接続された回線を切断するので、Ｓ１１４の処理で鳴動された呼出音の発音が停止される。
【００９８】
一方、Ｓ１１３の処理で、フッキング信号が出力されて切り換えられた電話装置からビジートーン信号を受信していれば（Ｓ１１３：Ｙｅｓ）、切り換えられた電話装置の操作者がオンフック操作をして通話を切断しているので、切り換えられた電話装置との通話が不可能となる。よって、電話回線網１００を介して接続された回線を切断して（Ｓ１０８）、通話監視処理を終了する。
【００９９】
なお、図２の説明では、送受話器２３を使用して外部と通話を行う場合を説明したが、子機２を使用して外部と通話を行う場合にも同様の処理が行われる。但し、子機２を使用して外部と通話を行う場合には、フッキングキー１５ａをフッキングキー３５ａ及び、お断り又は切断キー１５ｂをお断り又は切断キー３５ｂに読み替えるものとする。
【０１００】
また、送受話器２３の代わりにマイクおよびスピーカを用いて通話するオンフック通話においても通話監視処理を適用することができる。オンフック通話において通話監視処理が実行された場合には、Ｓ１１３の処理がＹｅｓとなった後はモニタ状態としＳ１１４の呼出音を鳴動する処理を省くものとしても良い。さらに、Ｓ１１６の処理では、所定時間が経過してタイムアウトとなった場合に、オンフック通話状態にしてＳ１０１の処理へ移行しても良い。
【０１０１】
以上説明したように、ＭＦＰ１は、操作者によりフッキングキー１５ａが操作されて、通話先の電話装置が切り換えられる毎に、フッキングカウンタ１３ａの値に１を加算する。そして、操作者によりオンフック操作されて回線開放要求がなされた場合のフッキングカウンタ１３ａの値が０であれば、通話先が一度も変更されておらず、最初の電話装置（第１の電話装置）と通話中となるので、そのまま、電話回線網１００を介して接続された回線を切断する。よって、キャッチホン機能（登録商標）を有するＭＦＰ１において、他に通話可能な電話装置がない場合、即ち、第３者からの着信がない場合には、早期に回線を切断することができる。
【０１０２】
一方、操作者によりオンフック操作されて回線開放要求がなされた場合のフッキングカウンタ１３ａの値が１以上であれば、少なくとも１回以上通話先の電話装置が切り換えられているので、保留中の電話装置が存在している可能性がある。ＭＦＰ１は、電話回線網１００を介して接続された回線を直ぐに切断することなく、操作者へ保留中の相手先を認識させて、その操作者の選択により通話の切断または継続を行う。よって、保留中の電話装置（通話可能な電話装置）が存在している可能性がある場合に、電話回線網１００を介して接続された回線が直ぐに切断されることを防止することができる。また、操作者は、保留中の電話装置と通話を行う場合には、送受話器２３を取り外すオフフック操作のみを行えばよいので、煩雑な作業を必要としないし、保留中の電話装置との通話を拒否したい場合には、お断り又は切断キー１５ｂを操作するのみでよい。
【０１０３】
従って、キャッチホン機能（登録商標）を有するＭＦＰ１において、通話先の電話装置が切り換えられた回数を記憶するフッキングカウンタ１３ａを設けることで、通話可能な電話装置がない場合には早期の回路切断を行えると共に、通話可能な電話装置がある場合には、煩雑な作業を必要とせず、通話先を切り換えて通話を行うことができる。
【０１０４】
また、フッキングカウンタ１３ａの値が１以上であり、保留中の電話装置がある場合には、その保留中の電話装置と通話を行うか否かの問い合わせをＬＣＤ１６に表示するので、操作者の意志により通話の切断または通話先の電話装置の切り換えを行うことができる。よって、ＭＦＰ１の機能が充実し、使い勝手を向上させることができる。
【０１０５】
また、操作者が保留中の相手先との通話を希望して、通話先の電話装置を切り換えた場合に、ビジートーン信号の受信を確認して、切り換えられた電話装置と通話可能であるか否かを判断している。そして、切り換えられた電話装置が通話不可であれば、そのまま回路を切断するし、切り換えられた電話装置が通話可能であれば、通話を継続することができる。従って、切り換えられた電話装置が通話不可にも関わらず、通話が継続されることを防止することができる。
【０１０６】
また、操作者が保留中の相手先との通話を拒否して回線を切断する前に、お断りメッセージを流すので、通話先の電話装置の操作者に不快感を与えることを低減することができる。
【０１０７】
また、お断り又は切断キー１５ｂの割り付けを「切断」にした場合には、お断りメッセージを流すことなく切断を行えるので、その分、早期の切断を行うこともできる。
【０１０８】
次に、図３及び図４を参照して、第２実施形態について説明する。図３は、第２実施形態のＭＦＰ１のＣＰＵ１１により実行される通話監視処理を示したフローチャートである。図４は、ＭＦＰ１と外部電話装置１０１との接続状態を模式的に示した図である。なお、第１実施形態と同一の部分には、同一の符号を付してその説明を省略する。
【０１０９】
ここで、第２実施形態の第１実施形態からの変更点について説明する。第１実施形態のＭＦＰ１では、フッキングキー１５ａが操作されて通話先が切り換えられた回数が０か１以上であるかに基づいて、電話回線網１００を介した通話の切断または継続を判断するものとした。これに代えて、第２実施形態のＭＦＰ１では、フッキングキー１５ａが操作されて通話先が切り換えられた回数が偶数か奇数かに基づいて、電話回線網１００を介した通話の切断または継続を判断するものとした。
【０１１０】
また、第１実施形態のＭＦＰ１は、フッキング信号が出力された後に、その切り換えられた通話先が通話可能であるか否かをビジートーン信号を受信したかで判断するように構成した。これに代えて、第２実施形態のＭＦＰ１では、切り換えられた通話先が通話可能であるか否かを極性反転したか否かにより判断するように構成した。なお、極性については後述する。
【０１１１】
また、第１実施形態のＭＦＰ１は、回線開放要求を、送受話器２３がオンフック操作されたか否かで判断するように構成した。これに代えて、第２実施形態のＭＦＰ１では、回線開放要求を、送受話器２３がオンフック操作されたか否かと、お断り又は切断キー１５ａが操作されたか否かとの両方で判断する構成とした。
【０１１２】
図３に示すように、第２実施形態のＭＦＰ１のＣＰＵ１１により通話監視処理が実行された後に、操作者によりオンフック操作またはお断り又は切断キー１５ｂが操作されて回線開放要求がなされると（Ｓ１０６：Ｙｅｓ）、フッキングカウンタ１３ａの値が偶数であるか否かを確認する（Ｓ２０１）。
【０１１３】
なお、Ｓ１０１の処理で、フッキングカウンタ１３ａの値が０に設定され、フッキングキー１５ａが操作されて通話先の電話装置が切り換えられる毎に１が加算されるので（Ｓ１０５）、フッキングカウンタ１３ａの値が偶数であれば、通話先が第１の電話装置となり、フッキングカウンタ１３ａの値が奇数であれば、通話先が第２の電話装置となる。
【０１１４】
Ｓ２０１の処理の結果、フッキングカウンタ１３ａの値が偶数（０，２，４，６・・・）であれば（Ｓ２０１：Ｙｅｓ）、通話先の電話装置が第１の電話装置となり、そのまま、電話回線網１００を介した回線を切断する前に、操作者によりお断り又は切断キー１５ｂが操作されて回線開放要求がなされたか否かを確認する（Ｓ２０２）。
【０１１５】
Ｓ２０２の処理の結果、操作者によりお断り又は切断キー１５ｂが操作されて回線開放要求がなされた場合には（Ｓ２０２：Ｙｅｓ）、Ｓ１１７の処理へ移行し、以降、第１実施形態と同様の処理を実行する。
【０１１６】
一方、Ｓ２０２の処理の結果、操作者によりオンフック操作がなされて回線開放要求がなされた場合には（Ｓ２０２：Ｎｏ）、Ｓ１１７及びＳ１１８の処理を実行せずに、即ち、お断りメッセージを流すことなく、回線を切断する（Ｓ１０８）。なお、Ｓ２０２，Ｓ１１７，Ｓ１１８の一連の処理を、Ｓ１１２の処理の前に実行するものとしても良い。
【０１１７】
また、Ｓ２０１の処理で、フッキングカウンタ１３ａの値が奇数（１，３，５，７・・・）であれば（Ｓ２０１：Ｎｏ）、第１実施形態と同様に、保留先の相手先と、接続／切断の問い合わせを表示し（Ｓ１１１）、フッキング信号を出力し（Ｓ１１２）、フッキング信号が出力されて切り換えられた電話装置との接続の極性が反転しているか否かを確認する（Ｓ２０３）。
【０１１８】
ここで、図４を参照して、ＭＦＰ１における極性について説明する。なお、図４の説明において、ＭＦＰ１及び外部電話装置１０１ともに、電話回線網１００に接続される２本のケーブルはＬ１及びＬ２端子にそれぞれ接続されている。ＭＦＰ１及び外部電話装置１０１のＬ１及びＬ２端子は、＋（プラス）の電圧か、−（マイナス）の電圧かのいずれか一方の電圧がそれぞれ供給される。また、Ｌ１及びＬ２端子間が点線で結ばれている状態は、オンフック操作されている状態（通話不可の状態）であり、Ｌ１及びＬ２端子間が実線で結ばれている状態は、オフフック操作されている状態（通話可能な状態）を意味している。
【０１１９】
図４（ａ）は、ＭＦＰ１と外部電話装置１０１とが応答中の状態を示した図である。図４（ａ）に示すように、ＭＦＰ１及び外部電話装置１０１ともに、Ｌ１端子とＬ２端子とが実線で接続され、通話可能な状態となっている。また、ＭＦＰ１は、Ｌ１端子が−電圧となっており、Ｌ２端子が＋電圧となっており、外部電話装置１０１は、Ｌ１端子が＋電圧となっており、Ｌ２端子が−電圧となっている。なお、この状態を極性は反転していない状態とする。
【０１２０】
図４（ｂ）は、ＭＦＰ１と外部電話装置１０１とが切断中の状態を示した図である。図４（ｂ）に示すように、ＭＦＰ１は、Ｌ１端子とＬ２端子とが実線で接続され通話可能な状態であるが、外部電話装置１０１は、Ｌ１端子とＬ２端子とが点線で接続され通話不可の状態となっている。また、ＭＦＰ１は、Ｌ１端子が＋電圧となっており、Ｌ２端子が−電圧となっており、外部電話装置１０１は、Ｌ１端子が＋電圧となっており、Ｌ２端子が−電圧となっている。つまり、ＭＦＰ１と外部電話装置１０１との接続が、応答中から切断中に変化すると、ＭＦＰ１のＬ１端子およびＬ２端子の極性が反転する。
【０１２１】
図３に戻って説明する。Ｓ２０３の処理で、図４（ｂ）に示すように、極性が反転していれば（Ｓ２０３：Ｙｅｓ）、切り換えられた通話先の電話装置が通話を切断しているので、そのまま、回線を切断して、通話監視処理を終了する。
【０１２２】
一方、Ｓ２０３の処理で、図４（ａ）に示すように、極性が反転していなければ（Ｓ２０３：Ｎｏ）、切り換えられた通話先との通話が可能となるので、次に、操作者によりお断り又は切断キー１５ｂが操作されて回線開放要求がなされたか否かを確認する（Ｓ２０４）。
【０１２３】
Ｓ２０４の処理で、操作者によりお断り又は切断キー１５ｂが操作されて回線開放要求がなされていれば（Ｓ２０４：Ｙｅｓ）、送受話器２３がオンフック操作されておらず呼出音を鳴動する必要がないので、Ｓ１１４の処理を実行せずに、Ｓ１１５の処理へ移行し、操作者によりオンフック操作されて回線開放要求がなされていれば（Ｓ２０４：Ｎｏ）、第１実施形態と同様に、Ｓ１１４の処理を実行して、Ｓ１１５の処理へ移行する。
【０１２４】
また、Ｓ１１５の処理で、Ｓ１１１の処理における操作者の操作がお断り又は切断キー１５ｂでなければ（Ｓ１１５：Ｎｏ）、操作者によりオフフック操作されたか、又は、回線開放要求がお断り又は切断キー１５ｂによりなされたか否かを確認する（Ｓ２０５）。
【０１２５】
Ｓ２０５の処理で、回線開放要求がお断り又は切断キー１５ｂによりなされていれば（Ｓ２０５：Ｙｅｓ）、送受話器２３がオンフック操作されておらずオフフック操作が必要ないので、そのまま、Ｓ１０１の処理へ移行する。一方、回線開放要求がオンフック操作によりなされていれば、第１実施形態と同様に、オフフック操作されたか否かを確認する処理が実行される。
【０１２６】
以上、説明したように、第２実施形態のＭＦＰ１では、操作者によりオフフック操作されて回線開放要求がなされた場合のフッキングカウンタ１３ａの値が偶数であれば、通話先が第１の電話装置となり、そのまま電話回線網１００を介した回線を切断するし、フッキングカウンタ１３ａの値が奇数であれば、通話先が第２の電話装置となり、直ぐに回線を切断することなく、保留中の相手先を表示して操作者に切断か継続かを選択させることができる。
【０１２７】
よって、第１実施形態と同様に、キャッチホン機能（登録商標）を有するＭＦＰ１において、通話先の電話装置が切り換えられた回数を記憶するフッキングカウンタ１３ａを設けることで、通話可能な電話装置がない場合には早期の回路切断を行えると共に、通話可能な電話装置がある場合には、煩雑な作業を必要とせず、通話先を切り換えて通話を行うことができる。
【０１２８】
また、第１の電話装置との通話中に、お断り又は切断キー１５ｂの操作により回線開放要求がなされると、その通話中であった電話装置に対してお断りメッセージを流すことができるので、通話先との回線が突然に切断されることを防止し、通話先の操作者に不快感を与えることを低減することができる。
【０１２９】
また、第２の電話装置との通話中に、お断り又は切断キー１５ｂの操作により回線開放要求がなされて、切り換えられた通話先となる第１の電話装置が通話可能であれば、呼出音を鳴動せずに、そのまま、通話を継続できるので（所謂、モニタ状態）、不要な操作を必要とせずに、電話回線網１００を介した通話を継続することができる。
【０１３０】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１３１】
例えば、上記実施形態では、フッキングカウンタ１３ａの値は、初期値を０として、通話先の電話装置が切り換えられる毎に１を加算するように構成したが、例えば、初期値を１００として、通話先の電話装置が切り換えられる毎に１を減算するように構成しても良い。この構成では、Ｓ１０７の処理で、フッキングカウンタ１３ａの値が１００より小さいか否かを確認する。一方、Ｓ２０１の処理は、初期値が共に偶数であるので、フッキングカウンタ１３ａの値が偶数か奇数かを確認すれば良い。
【０１３２】
また、上記実施形態では、フッキングカウンタ１３ａの値は、初期値を０として、通話先の電話装置が切り換えられる毎に１を加算するように構成したが、初期値を０として、通話先の電話装置が切り換えられる毎に１と０とを交互に記憶するように構成しても良い。即ち、フッキングフラグを設け、通話先が第１の電話装置の場合にオフすると共に（請求項５記載の電話装置の第１設定手段に対応）、通話先が第２の電話装置の場合にオンする（請求項５記載の電話装置の第２設定手段に対応）。この構成では、Ｓ１０７の処理で、フッキングフラグがオフであれば、Ｓ１０８の処理へ移行し、フッキングフラグがオンであれば、Ｓ１１１の処理へ移行する。また、Ｓ２０１の処理で、フッキングフラグがオフであれば、Ｓ２０２の処理へ移行し、フッキングフラグがオンであれば、Ｓ１１１の処理へ移行する。
【０１３３】
このフッキングフラグを設けた場合にも、第１又は第２実施形態と同様に、キャッチホン機能（登録商標）を有するＭＦＰ１において、通話可能な電話装置がない場合には早期の回路切断を行えると共に、通話可能な電話装置がある場合には、煩雑な作業を必要とせず、通話先を切り換えて通話を行うことができる。
【０１３４】
また、上記実施形態では、フッキングキー１５ａを操作した場合に、通話先の電話装置が切り換えられるものとしたが、フックスイッチ２８の短時間（例えば０．３秒以内）の押圧操作により通話先の電話装置を切り換えるものとしても良いし、フッキングキー１５ａの操作とフックスイッチ２８の短時間の押圧操作とを併用しても良い。
【０１３５】
また、上記各実施形態では、通話先の電話装置を切り換える際にお断り又は切断キー１５ｂが操作された場合にお断りメッセージを流し、さらに、上記第２実施形態では、第１の電話装置と通話中の状態で回線を切断する場合にもお断りメッセージを流すものとしたが、回線を切断する場合に毎回お断りメッセージを流しても良い。
【０１３６】
なお、請求項１記載の電話装置の変化情報判別手段としては図２のＳ１０７の処理および図３のＳ２０１の処理が該当し、請求項３の電話装置の初期値設定手段としては図２のＳ１０１の処理が該当し、請求項３の電話装置の加減算手段としては図２のＳ１０５の処理が該当し、請求項４の電話装置の初期値設定手段としては図３のＳ１０１の処理が該当し、請求項４の電話装置の加減算手段としては図３のＳ１０５の処理が該当し、請求項１記載の電話装置の通話判別手段としては図２のＳ１１５の処理が該当し、請求項６記載の電話装置の問合手段としては図２及び図３のＳ１１１の処理が該当し、請求項８記載の電話装置の出力手段としては図２及び図３のＳ１１８の処理が該当する。請求項７記載の鳴動手段としては図３のＳ１１４の処理が該当し、鳴動禁止手段としては、図３のＳ２０４の判断を肯定する処理が該当する。請求項９記載の出力禁止手段としては、図２及び図３のＳ１１７の判断を否定する処理が該当する。
【図面の簡単な説明】
【０１３７】
【図１】ＭＦＰ（親機）と子機との電気的構成を示したブロック図である。
【図２】ＭＦＰのＣＰＵにより実行される通話監視処理を示したフローチャートである。
【図３】第２実施形態のＭＦＰのＣＰＵにより実行される通話監視処理を示したフローチャートである。
【図４】ＭＦＰと外部電話装置との接続状態を模式的に示した図である。
【符号の説明】
【０１３８】
１                  ＭＦＰ（多機能周辺装置、電話装置の一部）
２                  子機（電話装置の一部）
１１                ＣＰＵ（第１制御手段、第２制御手段、第３制御手段、検出手段の一部）
１２ａ              お断りメッセージ記憶エリア（出力手段の一部）
１３ａ              フッキングカウンタ（記憶手段）
１５ａ              フッキングキー（操作手段）
１５ｂ              お断り又は切断キー
２２                ＮＣＵ（検出手段の一部）
【図１】
0004650462.tif 000002
【図２】
0004650462.tif 000003
【図３】
0004650462.tif 000004
【図４】
0004650462.tif 000005